(57)【要約】【課題】マルチタイプの空気調和機に複数台接続された各室内ユニットの設定情報を音声にて使用者に分り易くお知らせする。【解決手段】電波受信ユニット１１を備えたマルチタイプの空気調和機の室内ユニット１と、前記マルチタイプの空気調和機の室内ユニットへ、室内ユニットの運転の開始／停止、運転モード設定、設定温度や設定風量を１台のコントローラーにて集中制御を行い、現在の温度設定状況や風量設定状況を表示する表示パネル６と現在の温度設定や風量設定状況を電波信号にて送信する電波送信ユニット１０と、温度設定や風量設定などを行う操作部８を備えた電波信号を送信する無線タイプの集中コントローラー４において、各室内ユニットの温度設定や風量設定などの操作を行った時に、接続された室内ユニット毎に設定温度や、現在の室温などを表示パネルに表示するとともに音声にて発音する、音声アンサーユニットを備えた。【選択図】図１
2010236759.tif 000002
【特許請求の範囲】
【請求項１】
室内温度センサーからの室温情報にて室内温度を制御するマイコンを内臓する制御部と、前記制御部に接続されリモコンから送信される現在の温度設定状況や風量設定状況などの電波信号を受信し、制御部へ伝達する電波受信ユニットを備えたマルチタイプの空気調和機の室内ユニットと、前記マルチタイプの空気調和機の室内ユニットへ、室内ユニットの運転の開始／停止、運転モード設定、設定温度や設定風量を１台のコントローラーにて集中制御を行い、現在の温度設定状況や風量設定状況を表示する表示パネルと現在の温度設定や風量設定状況を電波信号にて送信する電波送信ユニットと、温度設定や風量設定などを行う操作部を備えた電波信号を送信する無線タイプの集中コントローラーにおいて、各室内ユニットの温度設定や風量設定などの操作を行った時に、接続された室内ユニット毎に設定温度や、現在の室温などを表示パネルに表示するとともに音声にて発音する、音声アンサーユニットを備えたことを特徴とする空気調和機。
【発明の詳細な説明】
【技術分野】
【０００１】
本発明は、マルチタイプの空気調和機の室内ユニットの設定変更や現在の設定をそれぞれ音声で告知することにより、各室内ユニットの設定を聴覚でも確認することが可能となる、ユニバーサルデザインに関する技術である。
【背景技術】
【０００２】
従来は図２に示すように、複数台の室内ユニットが接続されるマルチタイプの空気調和機において、温度設定や風量設定などを行う操作部１４と、現在の温度設定状況や風量設定状況などを表示する表示パネル１５と現在の温度設定状況や風量設定状況などの信号を電波にて各室内ユニットに送信する電波送信ユニット１８を備えた無線タイプの集中コントローラー１６と、マルチタイプの空気調和機の室内ユニット１１とリモコンより電波にて送信される現在の温度設定状況や風量設定状況などを受信し制御部へ伝達する電波受信ユニット１９があり、使用者が無線タイプの集中コントローラー１６にて室内温度設定を変えると、前記表示パネルに室内温度設定変更中の部屋ナンバー１７が表示される。
【特許文献１】特開平０６−１８１５８８号公報
【発明の開示】
【発明が解決しようとする課題】
【０００３】
しかしながら前記従来の構成では、使用者に設定を行っている室内ユニットがどれであるかを告知する手段が、集中コントローラーの表示パネルに表示される部屋ナンバーだけであるため、どの室内ユニットの設定を行っているかの確認が視覚からの情報だけであり不明確である。そのため高齢者や視覚障害者には分り難いものとなっている。
【０００４】
本発明は、前記従来の課題を解決するもので、その目的とするところは使用者が高齢者や視覚障害者であっても、より容易にマルチタイプの空気調和機の運転に関する情報を得ることができ、多くの空気調和機使用者が各室内ユニットの運転や設定変更等の操作を間違えることなく容易に行えることを目的とする。
【課題を解決するための手段】
【０００５】
上記従来の課題を解決する為に、本発明の空気調和気は、室内温度センサーからの室温情報にて室内温度を制御するマイコンを内臓する制御部と、前記制御部に接続されリモコンから送信される現在の温度設定状況や風量設定状況などの電波信号を受信し、制御部へ伝達する電波受信ユニットを備えたマルチタイプの空気調和機の室内ユニットと、前記マルチタイプの空気調和機の室内ユニットへ、室内ユニットの運転の開始／停止、運転モード設定、設定温度や設定風量を１台のコントローラーにて集中制御を行い、現在の温度設定状況や風量設定状況を表示する表示パネルと現在の温度設定や風量設定状況を電波信号にて送信する電波送信ユニットと温度設定や風量設定などを行う操作部と接続された室内ユニット毎に設定温度や、現在の室温などを音声にて発音する音声アンサーユニットを備えた、電波信号を送信する無線タイプの集中コントローラーにおいて、各室内ユニットの温度設定や風量設定などの操作を行った時に、接続された室内ユニット毎に設定温度や、現在の室温などを表示パネルに表示するとともに音声にて発音する構成とするものである。
【発明の効果】
【０００６】
本発明の空気調和気は、使用者が各室内ユニットの設定を操作する場合、無線タイプの集中コントローラーに設けた音声アンサーユニットより、設定状況を音声で発音し告知することにより、どの室内ユニットを操作しているかを聴覚により把握でき、高齢者や視覚
障害者にもマルチタイプの空気調和機の運転情報を容易に認識することができる。
【発明を実施するための最良の形態】
【０００７】
第１の発明は、室内温度センサーからの室温情報にて室内温度を制御するマイコンを内臓する制御部と、前記制御部に接続されリモコンから送信される現在の温度設定状況や風量設定状況などの電波信号を受信し、制御部へ伝達する電波受信ユニットを備えたマルチタイプの空気調和機の室内ユニットと、前記マルチタイプの空気調和機の室内ユニットへ、室内ユニットの運転の開始／停止、運転モード設定、設定温度や設定風量を１台のコントローラーにて集中制御を行い、現在の温度設定状況や風量設定状況を表示する表示パネルと現在の温度設定や風量設定状況を電波信号にて送信する電波送信ユニットと温度設定や風量設定などを行う操作部を備えた、電波信号を送信する無線タイプの集中コントローラーにおいて、各室内ユニットの温度設定や風量設定などの操作を行った時に、接続された室内ユニット毎に設定温度や、現在の室温などを表示パネルに表示するとともに音声にて発音する音声アンサーユニットを備え、使用者の近くから聴覚にてどの室内ユニットを操作しているか把握することができ、高齢者や視覚障害者にもマルチタイプの空気調和機の運転情報を容易に認識することができる。
【０００８】
（実施の形態１）
図１は、本発明の第１の実施の形態における空気調和機の構成を示す図である。
【０００９】
図１において、１はマルチタイプの空気調和機の室内ユニットＡ、２はマルチタイプの空気調和機の室内ユニットＢ、３はマルチタイプの空気調和機の室内ユニットＣ、４は無線タイプの集中コントローラー、５は音声アンサーユニット、６は表示パネル、７は制御部、８は操作部、９は室内温度センサー、１０は電波送信ユニット、１１は電波受信ユニットである。以上のように構成されたマルチタイプの空気調和機について、以下その動作、作用を説明する。
【００１０】
無線タイプの集中コントローラー４の操作部８にてマルチタイプの空気調和機の室内ユニットＡの室内温度設定の変更を行うと、室内温度設定データを、電波送信ユニット１０より電波信号にてマルチタイプの空気調和機の室内ユニット１にある制御部７に接続された電波受信ユニット１１へ送信される。これにより音声アンサーユニット５は設定内容を告知する、例えば「Ａ室の室温設定温度が２５℃に変更されました」等の音声案内を発音する。同様に、無線タイプの集中コントローラー４の操作部８にてマルチタイプの空気調和機の室内ユニットＢ或いはマルチタイプの空気調和機の室内ユニットＣの室内温度設定の変更を行うと、音声アンサーユニット５より設定内容を告知する、例えば「Ｂ（Ｃ）室の室温設定温度が２５℃に変更されました」等の音声案内を発音する。
【００１１】
本発明は、音声アンサーユニット５から発音する設定状況室内ユニット毎に変えることで、聴覚にてどの室内ユニットを操作しているか把握することができ、高齢者や視覚障害者にも運転情報を容易に認識することができる。
【産業上の利用可能性】
【００１２】
以上のように、本発明にかかる空気調和機は、集中コントロールを行う場合に、各機器の状況を音声にて発音することで、聴覚による変更の確認が容易となり高齢者、視覚障害者にも変更が認識しやすくなるので、集中コントロールを行う空気調和機以外にも、監視カメラ・業務用冷蔵庫・照明設備などの制御装置にも適用できる。
【図面の簡単な説明】
【００１３】
【図１】本発明の実施の形態１における空気調和機の構成図
【図２】従来技術における空気調和機の構成図
【符号の説明】
【００１４】
１  マルチタイプの空気調和機の室内ユニットＡ
２  マルチタイプの空気調和機の室内ユニットＢ
３  マルチタイプの空気調和機の室内ユニットＣ
４  無線タイプの集中コントローラー
５  音声アンサーユニット
６  表示パネル
７  制御部
８  操作部
９  室内温度センサー
１０  電波送信ユニット
１１  電波受信ユニット
１２  マルチタイプの空気調和機の室内ユニットＤ
１３  マルチタイプの空気調和機の室内ユニットＥ
１４  マルチタイプの空気調和機の室内ユニットＦ
１５  操作部
１６  表示パネル
１７  集中コントローラー
１８  部屋ナンバー
１９  電波送信ユニット
２０  電波受信ユニット
【図１】
2010236759.tif 000003
【図２】
2010236759.tif 000004